【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
骨セグメント位置決め装置であって、
近位端および遠位端を有する可撓性ガイドワイヤ；
このガイドワイヤの遠位端に隣接してその周りで該ガイドワイヤ上に配置される遠位ストップ；
該ガイドワイヤの近位端に隣接してその周りで該ガイドワイヤ上に配置される近位ストップ；および
該ガイドワイヤ上に配置可能であり、かつ側壁を有する可撓性チューブであって、該側壁は該チューブが、該遠位ストップと該近位ストップとの間の該チューブの圧縮の際に、半径方向の拡張に適合された半径方向に拡張可能なアンカー部分を備える、可撓性チューブ、
を備える、骨セグメント位置決め装置。
【請求項２】
テーパー状の遠位表面、少なくとも部分的に横断方向の近位表面、および長軸方向の貫通穴を規定する管状の内面を有する拡張器をさらに備え、該拡張器が、前記ガイドワイヤ上に配置可能であり、該ガイドワイヤが該貫通穴を通って延び、該少なくとも部分的に横断方向の近位表面が前記遠位ストップとして作用する、請求項１に記載の装置。
【請求項３】
前記少なくとも部分的に横断方向の近位表面が、円錐形に口を広げて前記チューブを受容する、請求項２に記載の装置。
【請求項４】
前記テーパー状の遠位表面が、前記ガイドワイヤに対する前記拡張器の回転を防止するための手段を備える、請求項２に記載の装置。
【請求項５】
骨セグメント位置決め装置であって、
近位端および遠位端を有するガイドワイヤ；
該ガイドワイヤ上に配置可能であり、かつ側壁を有するチューブであって、該側壁は該チューブが、該チューブの圧縮の際に、半径方向の拡張に適合された半径方向に拡張可能なアンカー部分を備える、チューブ；ならびに
テーパー状の遠位表面、少なくとも部分的に横断方向の近位表面、および長軸方向の貫通穴を規定する管状の内面を有する拡張器であって、該拡張器が、前記ガイドワイヤ上に配置可能であり、該ガイドワイヤが該貫通穴を通って延びる、拡張器、
を備え、該ガイドワイヤが、該長軸方向の貫通穴の直径よりも大きい直径を有する遠位先端を備える、装置。
【請求項６】
前記ガイドワイヤに対する前記拡張器の回転を防止するための手段をさらに備え、該回転を防止するための手段が、多角形の嵌合表面を備え、該多角形の嵌合表面が、前記遠位先端の反対の性の多角形の嵌合表面に嵌るように適合されている、請求項５に記載の装置。
【請求項７】
前記近位ストップが、前記ガイドワイヤの近位端の上に配置される圧縮ファスナーの遠位表面として形成される、請求項１に記載の装置。
【請求項８】
前記圧縮ファスナーが、前記ガイドワイヤの近位端の上にねじ山をつけた少なくとも１つのナットを備える、請求項７に記載の装置。
【請求項９】
前記圧縮ファスナーが近位骨セグメントを係合するように適合された界面ワッシャーを備える、請求項７に記載の装置。
【請求項１０】
前記半径方向に拡張可能なアンカー部分が、複数のリブを備え、該リブは、前記側壁を通して配置される複数の長軸方向スロットの間に形成される、請求項１に記載の装置。
【請求項１１】
前記半径方向に拡張可能なアンカー部分が、前記遠位端に向かって配置される、請求項１に記載の装置。
【請求項１２】
前記リブが、各リブの中央部分に形成される、少なくとも１つの縮小セクションを備える、請求項１０に記載の装置。
【請求項１３】
前記少なくとも１つの縮小セクションが、各リブの前記中央部分を横切って横断方向に形成されるひだを備える、請求項１２に記載の装置。
【請求項１４】
前記少なくとも１つの縮小セクションが、各リブの狭められたセクションを備える、請求項１２に記載の装置。
【請求項１５】
前記複数のリブ部分が、少なくとも２つの等間隔に置かれたリブを備える、請求項１０に記載の装置。
【請求項１６】
前記半径方向に拡張可能なアンカー部分が、前記チューブの遠位セグメントと近位セグメントとの間の圧縮力の弛緩の際に、折畳まれるように適合されている、請求項１に記載の装置。
【請求項１７】
前記半径方向に拡張可能なアンカー部分が、前記チューブの遠位セグメントと近位セグメントとの間の張力の付与の際に、折畳まれるように適合されている、請求項１に記載の装置。
【請求項１８】
生理活性物質をさらに備える、請求項１に記載の装置。
【請求項１９】
複数の半径方向に拡張可能なアンカー部分を備える、請求項１に記載の装置。
【請求項２０】
前記リブの少なくとも１つが、ざらついたの表面を備える、請求項１０に記載の装置。
【請求項２１】
骨セグメント位置決め装置であって、
近位端および遠位端を有するガイドワイヤ；
該ガイドワイヤ上に配置可能であり、かつ側壁を有するチューブであって、該側壁は該チューブが、該チューブの圧縮の際に、半径方向の拡張に適合された半径方向に拡張可能なアンカー部分を備える、チューブ、
テーパー状の遠位表面、少なくとも部分的に横断方向の近位表面、および長軸方向の貫通穴を規定する管状の内面を有する拡張器であって、該拡張器が、前記ガイドワイヤ上に配置可能であり、該ガイドワイヤが該貫通穴を通って延びる、拡張器；ならびに
該チューブの中の少なくとも１つの半円形の切り込み、
を備える、装置。
【請求項２２】
テーパー状の遠位表面、少なくとも部分的に横断方向の近位表面、および長軸方向の貫通穴を規定する管状の内面を有する拡張器であって、該拡張器が、前記ガイドワイヤ上に配置可能であり、該ガイドワイヤが該貫通穴を通って延びる、拡張器、
をさらに備え、該少なくとも部分的に横断方向の近位表面は、円錐形に口を広げて前記チューブを受容し、かつ該遠位ストップとして作用し；
該ガイドワイヤは、該長軸方向の貫通穴の直径よりも大きい幅を有する遠位ストップを備え；
該近位ストップは、該ガイドワイヤの該近位端の上に設置された界面ワッシャーの遠位表面として形成され；
該半径方向に拡張可能なアンカー部分は、等間隔に置かれた複数のリブを備え、該リブは、前記側壁を通して配置される複数の長軸方向スロットの間に形成され；
該半径方向に拡張可能なアンカー部分は、遠位骨セグメントとの係合のために該遠位端に向かって配置され；
該リブは、各リブセグメントの中央部分に形成される、少なくとも１つの縮小セクションを備え；そして
該半径方向に拡張可能なアンカー部分は、該チューブの遠位セグメントと近位セグメントとの間の圧縮力の弛緩の際に、折畳まれるように適合されている、請求項１に記載の装置。
【請求項２３】
骨セグメントを整列するためのシステムであって、
骨折箇所に広がる髄内空間に設置されるように構成されているチューブ；および
該チューブの一部を該骨折箇所の第１の側面に係留するための手段、
を備え、該チューブは、該チューブの圧縮が、該骨折箇所の第２の側面で、該チューブの拡張可能なアンカー部分を半径方向に拡張させるようにさらに構成されている、システム。
【請求項２４】
前記骨折箇所に広がる前記髄内空間に設置されるように構成されているガイドワイヤをさらに包含し、これにより、該チューブは、該ガイドワイヤの上に設置され、該チューブは、該ガイドワイヤ上のストップの間で圧縮される、請求項２３に記載のシステム。
【請求項２５】
前記チューブを前記ガイドワイヤの上に設置する前に該ガイドワイヤの上に設置されるように構成されているテーパー状の拡張器、
をさらに備え、ここで該拡張器は、前記ストップのうちの１つとして作用する横断部分を備える、請求項２４に記載のシステム。
【請求項２６】
前記チューブの一部を前記骨折箇所の第１の側面に係留するための手段が、前記ガイドワイヤの近位端の上に設置されるように構成されているアンカーナットを備える、請求項２４に記載のシステム。
【請求項２７】
骨折した骨セグメントを整列するためのシステムであって、
該骨折箇所に広がる髄内空間に設置されるように構成されているガイドワイヤ；
該骨折箇所に広がる髄内空間に該ガイドワイヤの上に設置されるように構成されている可撓性チューブ；および
該可撓性チューブの一部を該骨折箇所の第１の側面に係留するための手段、
を備え、該可撓性チューブは、該可撓性チューブを、該ガイドワイヤ上のストップ間で圧縮すると、該骨折箇所の第２の側面で、該可撓性チューブの拡張可能なアンカー部分を半径方向に拡張させるように構成されている、システム。
【請求項２８】
前記チューブを前記ガイドワイヤの上に設置する前に該ガイドワイヤの上に設置されるように構成されているテーパー状の拡張器、
をさらに備え、ここで該拡張器が前記ストップのうちの１つとして作用する横断方向部分を備える、請求項２４に記載のシステム。
【請求項２９】
前記チューブの一部を前記骨折箇所の第１の側面に係留するための手段が、前記ガイドワイヤの近位端の上に設置されるように構成されている界面ワッシャーを備える、請求項２４に記載のシステム。
【請求項３０】
請求項２４に記載のシステムであって、
近位骨セグメント中で、前記髄内空間中へ穿孔するための手段；および
該髄内空間を拡げるための手段、
をさらに備える、システム。
【請求項３１】
請求項２４に記載のシステムであって、前記骨セグメントの治癒後に、前記可撓性チューブ上で圧縮を解放すると、前記チューブおよびガイドワイヤの除去のために、前記拡張可能なアンカー部分が退却することを可能にするように、該可撓性チューブがさらに構成されている、システム。
【請求項３２】
前記ガイドワイヤが骨内に配置されている間に、前記チューブが該ガイドワイヤ上に配置されるように適合されている、請求項１に記載の装置。
【請求項３３】
前記ガイドワイヤおよび前記チューブが骨内に配置されている間に、前記近位ストップが該ガイドワイヤ上に配置されるように適合されている、請求項１に記載の装置。
【請求項３４】
前記ガイドワイヤが骨内に配置されている間に、前記拡張器が前記ガイドワイヤに組立てられるように適合されている、請求項２に記載の装置。
【請求項３５】
前記ガイドワイヤの遠位端に隣接してその周りで該ガイドワイヤ上に配置される遠位ストップ；および
該ガイドワイヤの近位端に隣接してその周りで該ガイドワイヤ上に配置される近位ストップ、
をさらに備え、前記圧縮が、該遠位ストップと該近位ストップとの間に付与される、請求項５に記載の装置。
【請求項３６】
前記ガイドワイヤの遠位端に隣接してその周りで該ガイドワイヤ上に配置される遠位ストップ；および
該ガイドワイヤの近位端に隣接してその周りで該ガイドワイヤ上に配置される近位ストップ、
をさらに備え、前記圧縮が、該遠位ストップと該近位ストップとの間に付与される、請求項２１に記載の装置。